(57)【要約】【課題】本発明は、実装機に組み込まれている場合や、重ねて配置されている部品収納リールに収納されている部品の種類を、部品収納リールを取り出すことなく知ることができるリールおよび電子部品収納リールを提供することを目的とする。【解決手段】軸４と、軸４よりも外形が大きく軸４の両端部に設けられた一対のフランジ２、フランジ３と、軸４に巻きつけられたキャリアテープ６と、キャリアテープ６に収納された部品と、前記一対のフランジ２、フランジ３における互いに対向する面の少なくともいずれか一方に設けられて、前記部品の種類を表示するラベル５ａ、ラベル５ｂ、ラベル５ｃ、ラベル５ｄと、を備えた部品収納リール１０。【選択図】図３
2015103775.tif 000002
【特許請求の範囲】
【請求項１】
軸と、
前記軸よりも外形が大きく前記軸の両端部に設けられた一対のフランジと、
前記軸に巻きつけられたキャリアテープと、
前記キャリアテープに収納された部品と、
前記一対のフランジにおける互いに対向する面の少なくともいずれか一方に設けられて、前記部品の種類を表示するラベルと、
を備えた部品収納リール。
【発明の詳細な説明】
【技術分野】
【０００１】
本発明は、電子部品等を収納した部品収納リールに関する。
【背景技術】
【０００２】
リールにキャリアテープを巻きつけ、そのキャリアテープに電子部品を入れる技術は知られている（特許文献１参照。）。
【０００３】
電子部品は、基板に実装される。実装する際には実装機を用い、電子部品を基板の所定位置に実装する。実装機は、部品収納リールからキャリアテープを引き出し、さらにキャリアテープから電子部品を取り出してから、基板の所定位置に電子部品を実装する。このような実装機も知られている（特許文献２参照。）。
【先行技術文献】
【特許文献】
【０００４】
【特許文献１】特開平３−０８３７７３号公報
【特許文献２】特開２００７−１１５８９８号公報
【発明の概要】
【発明が解決しようとする課題】
【０００５】
通常、一台の実装機は、複数種類の電子部品を基板に実装するので、実装機には複数の部品収納リールが組み込まれる。例えば、特許文献２の図１、図２および図３に記載の構成をとる。１個の部品収納リールには一種類の電子部品が収納されるので、実装機に組み込まれる部品収納リールが収納する電子部品は、部品収納リール毎に異なる。
【０００６】
通常、部品収納リールが収納している電子部品の種類は、部品収納リールのフランジの外側の面、例えば、特許文献１の図５において符号５が指している部分に、収納している電子部品の種類を示すラベルが予め貼ってある。部品収納リールを実装機に組み込む際には、このラベルを確認しながら、その電子部品の種類に応じて実装機の所定の位置に組み込まれる。
【０００７】
しかし、特許文献２の図１、図２および図３に記載されたように実装機に組み組み込まれた状態では、上記のラベルを見ることはできないので、一度、実装機から部品収納リールを取り出してラベルを確認することになってしまう。例えば、前日の稼働終了時に実装機の運転を停止し、翌日の稼働開始時に再び開始するときなど、部品収納リールに収納されている電子部品の種類の確認をする必要があるが、その都度、実装機から部品収納リールを取り出さなくてはらないのは、手間がかかり、また、実質的な実装機の稼働時間を短くしてしまうという課題があった。
【０００８】
また、実装機に組み込まれた状態ではなくても、部品収納リールをそれぞれの回転軸が同一軸になるように重ねた場合にも上記のラベルの確認ができず、確認したい部品収納リールを取り出す必要があり、手間が掛かるという課題があった。
【０００９】
本発明は上記従来課題を解決するもので、実装機に組み込まれている場合や、重ねて配置されている部品収納リールを取り出すことなく収納されている電子部品の種類を知ることができる部品収納リールを提供することを目的とする。
【課題を解決するための手段】
【００１０】
上記目的を達成するため、請求項１記載の発明は、軸と、前記軸よりも外形が大きく前記軸の両端部に設けられた一対のフランジと、前記軸に巻きつけられたキャリアテープと、前記キャリアテープに収納された部品と、前記一対のフランジにおける互いに対向する面の少なくともいずれか一方に設けられて、前記部品の種類を表示するラベルと、を備えた部品収納リールである。
【００１１】
請求項１に記載の発明は、上記構成により、部品収納リールを取り出すことなしに、収納している部品の種類を知ることができるという作用効果を有する。
【発明の効果】
【００１２】
本発明の部品収納リールは、部品収納リールを取り出すことなしに、収納している部品の種類を知ることができるので、実質的な稼働時間の短縮を防止し、生産効率を向上させることができるという効果を有する。
【図面の簡単な説明】
【００１３】
【図１】（ａ）本発明の一実施の形態におけるリールの正面図、（ｂ）同右側面図
【図２】図１のＡＡ線断面図
【図３】（ａ）本発明の一実施の形態における部品収納リールの正面図、ｂ）図３（ａ）のＡＡ断面図
【図４】本発明の一実施の形態における部品収納リールのラベルの読み取り時の正面図
【発明を実施するための形態】
【００１４】
本発明の一実施の形態におけるリールについて、図１および図２を用いながら説明をする。図１（ａ）は本発明の一実施の形態におけるリールの正面図、図１（ｂ）は同右側面図、図２は図１のＡＡ線断面図である。
【００１５】
リール１は、フランジ２、フランジ３および軸４を備え、さらにフランジ２にラベル５ａ、ラベル５ｂ、ラベル５ｃおよびラベル５ｄが設けられている構成である。軸４は円柱状の外形を有し、その軸を含む貫通孔が設けられた形状である。なお、この貫通孔は、リール１を回転させるための機械の駆動軸（図示せず）やリール１を回転可能に支持するための支持軸（図示せず）と係合する機能を有しており、本実施の形態においては円形にしているが、円形に限られるものではない。また、軸４は後述するキャリアテープ６を巻きつけるために円柱形状であることが好ましいが、必ずしもこれに限られるものではない。特に、キャリアテープ６を巻きつけるために、キャリアテープ６の端部を軸４に固定する機構を軸４に設けておく等の構成にすることができ、そのような構成としては、公知の構成を採用することができる。
【００１６】
フランジ２およびフランジ３は軸４の両端部に設けられている。フランジ２とフランジ３とは一対をなし、共にその外形は軸４の外形より大きい。フランジ２およびフランジ３は、回転するので、空間の有効な活用の点から円板形状の外形が好ましい。なお、軸４の両端部とは、軸４を、軸４の外形を円柱形状と見立てたときの円柱の軸方向における中央部と両端部との３個に区分したときの両端部との意味である。従って、フランジ２およびフランジ３は、軸４の外形を円柱形状と見立てたときの上面および底面に設けられた形状だけに限られるのではなく、上面および底面より中央部よりに設けられていてもよい。そして中央部にはキャリアテープ６が巻きつけられる。
【００１７】
ラベル５ａ、ラベル５ｂ、ラベル５ｃおよびラベル５ｄはフランジ２に設けられたラベルであり、収納する電子部品の種類を表示している。具体的な表示手段としては、バーコードやマトリックス二次元コードなどを用いることができるが、人が直接認識できるように文字で表すこともできる。バーコード等と文字とを併用することもできる。ラベル５ａ、ラベル５ｂ、ラベル５ｃおよびラベル５ｄはフランジ２のフランジ３に対向する面に設けられている。即ち、フランジ２におけるキャリアテープ６が巻きつけられる側の面に設けられている。
【００１８】
図３（ａ）は、本発明の一実施の形態における部品収納リールの正面図、図３（ｂ）は図３（ａ）のＡＡ断面図である。図３（ａ）、（ｂ）における部品収納リール１０は、図１および図２に記載のリールに電子部品（図示せず）が収納されたキャリアテープ６を巻きつけたものである。
【００１９】
キャリアテープ６は公知のものを用いることができる。キャリアテープ６は軸４に巻き付けられている。キャリアテープ６を全て巻きつけたときの外形はラベル５ａ、ラベル５ｂ、ラベル５ｃおよびラベル５ｄの位置より内側にくるようにしている。部品収納リール１０は、実装機に組み込まれた状態で、キャリアテープ６を引き出され回転する。本実施の形態の図面においては、ラベル５ａ、ラベル５ｂ、ラベル５ｃおよびラベル５ｄの位置は、上下左右に位置しているが、実際には部品収納リール１０が回転するためにラベル５ａ、ラベル５ｂ、ラベル５ｃおよびラベル５ｄは上下左右以外に位置することが有りうる。
【００２０】
図４は本発明の一実施の形態における部品収納リールのラベルの読み取り時の正面図である。読み取り機２０はラベル５ａ、ラベル５ｂ、ラベル５ｃおよびラベル５ｄのいずれかのラベルを読み取る機能を有し、読み取り部２１は、上記のラベルを読み取るセンサやカメラなどの読み取り部２１である。読み取り部２１をラベル５ａ、ラベル５ｂ、ラベル５ｃおよびラベル５ｄのいずれかのラベルに対向させることで読み取り機２０によって部品収納リール１０に収納されている部品の種別を認識することができる。
【００２１】
このように、一対のフランジであるフランジ２とフランジ３との間に読み取り部２１を位置させて、ラベル５ａ、ラベル５ｂ、ラベル５ｃおよびラベル５ｄのいずれかのラベルを読み取ることができる。従って、部品収納リール１０が実装機に組み込まれている場合や、部品収納リール１０を軸方向に並べて重ねている状態であっても、部品収納リール１０を取り出すことなく、収納されている部品の種類を認識することができる。収納されている部品が、正しいものであればそのままで良いが、もし誤った部品が収納されている部品収納リール１０が組み込まれている場合には、この部品収納リール１０を取り出し正しい部品収納リール１０を組み込み込めばよい。
【００２２】
なお、本実施の形態のラベル５ａ、ラベル５ｂ、ラベル５ｃおよびラベル５ｄは、フランジ２において９０°毎に設けられている。リール１は実装機（図示せず）に組み込まれた状態で回転するが、９０°毎に設けられていれば、いずれかのラベルの読み取りが可能な場合が多いからである。勿論、１２０°毎に全部で３個設ける構成であっても良い場合が有り得る。さらに、リール１の組み込み状態によっては、１８０°毎の全部で２個で済む場合も有りうるし、場合によっては１個でよい場合も有りうる。逆に、９０°毎ではなく、もっと狭い間隔で多くのラベルを設ける必要がある場合も有りうる。この点は、実装機へ組み込んだ際の部品収納リール１０の周囲の状態によって選択するものであるが、大抵の場合には、１２０°毎に全部で３個または９０°毎に全部で４個が適当である。
【００２３】
本実施の形態のラベル５ａ、ラベル５ｂ、ラベル５ｃおよびラベル５ｄは、フランジ２に設けているが、フランジ３に設けてもよいし、フランジ２とフランジ３の両方に設けてもよい。フランジ３に設ける際には、フランジ３のフランジ２に対向する面に設けることになる。
【産業上の利用可能性】
【００２４】
本発明に係る部品収納リールは、電子部品等を収納するリールとして有用である。
【符号の説明】
【００２５】
１  リール
２  フランジ
３  フランジ
４  軸
５ａ  ラベル
５ｂ  ラベル
５ｃ  ラベル
５ｄ  ラベル
６  キャリアテープ
１０  部品収納リール
２０  読み取り機
２１  読み取り部
【図１】
2015103775.tif 000003
【図３】
2015103775.tif 000004
【図４】
2015103775.tif 000005
【図２】
2015103775.tif 000006